(57)【特許請求の範囲】
【請求項１】
記録媒体の厚みに対応してプラテンと記録ヘッドとの隙間を調整するプラテンギャップ調整レバーと、
給紙口に前記記録媒体が装填された時に記録媒体検出信号を出力する記録媒体検出手段と、
前記記録媒体検出信号により前記記録媒体を印刷領域に搬送する紙送り手段とを備えた記録装置であって、
前記記録媒体を前記記録媒体検出手段により検知し、所定時間の経過後に前記紙送り手段を作動させる信号を出力する媒体送り制御手段と、
前記媒体送り制御手段は、前記プラテンギャップ調整レバーのレバー位置検出手段を備え、前記レバー位置検出手段の検出結果に基づいて前記所定時間を選択することを特微とする記録装置。
【請求項２】
印刷のための記録媒体送り制御方法であって、
（ａ）記録媒体の厚みに対応して、プラテンと、記録ヘッドとの隙間をプラテンギャップ調整レバーにより調整する工程と、
（ｂ）前記プラテンギャップ調整レバー位置を検出するレバー位置検出工程と、
（ｃ）給紙口より装填された記録媒体を検出し、記録媒体の検出信号を出力する工程と、
（ｄ）前記記録媒体の検出信号出力後、所定時間の経過した後に、前記記録媒体を印刷領域へ搬送する工程であって、前記レバー位置検出工程の検出結果に基づいて、前記所定時間を選択する工程と、
を備えることを特微とする記録媒体送り制御方法。
【発明の詳細な説明】
【０００１】
【産業上の利用分野】
本発明は、トラクタ、単票用紙自動給紙装置、及び手差し給紙口をと備え、種々な記録媒体に印刷できる記録装置に関する。
【０００２】
【従来の技術】
記録装置は、帳票データを連続用紙に印刷するためのトラクタ、定型文書の印刷に対応するための単票用紙自動給紙装置や、さらには封筒やはがき等の厚手の記録媒体や、テンポラリな用紙に印刷を可能にするための手差し給紙口が設けられている。
【０００３】
また、操作性の向上を図るため、手差し給紙口から記録媒体を装填して媒体検出器により検出されると、紙送りモータを自動的に作動させて記録媒体を印刷可能な領域に搬送するオートローデング機構が設けられている。
【０００４】
【発明が解決しようとする課題】
このように手差し給紙口からはいろいろな用紙が装填されるため、用紙の腰の強さにより装填の調子が異なることになり、特に厚手の記録媒体は、コピー紙等の普通紙に比較して位置や姿勢の調整が比較的難く、熟練の度合によって装填に要する時間が異なり、記録媒体が正規の位置に設定されていないにもかかわらず、ローデングが行われてしまい、印刷ミスを生じるという不都合がある。
【０００５】
本発明はこのような問題に鑑みてなされたものであって、その目的とするところは手差し給紙口への記録媒体の装填からローデング開始までの時間をユーザの熟練の度合や好みに対応して変更することができる新規な記録装置を提供することにある。
【０００６】
【課題を解決するための手段】
本発明において、このような課題を解消するための装置として、記録媒体の厚みに対応してプラテンと記録ヘッドとの隙間を調整するプラテンギャップ調整レバーと、給紙口に前記記録媒体が装填された時に記録媒体検出信号を出力する記録媒体検出手段と、前記記録媒体検出信号により前記記録媒体を印刷領域に搬送する紙送り手段とを備えた記録装置であって、前記記録媒体を前記記録媒体検出手段により検知し、所定時間の経過後に前記紙送り手段を作動させる信号を出力する媒体送り制御手段と、前記媒体送り制御手段は、前記プラテンギャップ調整レバーのレバー位置検出手段を備え、前記レバー位置検出手段の検出結果に基づいて前記所定時間を選択する装置とし、また方法としては、印刷のための記録媒体送り制御方法であって、（ａ）記録媒体の厚みに対応して、プラテンと、記録ヘッドとの隙間をプラテンギャップ調整レバーにより調整する工程と、（ｂ）前記プラテンギャップ調整レバー位置を検出するレバー位置検出工程と、（ｃ）給紙口より装填された記録媒体を検出し、記録媒体の検出信号を出力する工程と、（ｄ）前記記録媒体の検出信号出力後、所定時間の経過した後に、前記記録媒体を印刷領域へ搬送する工程であって、前記レバー位置検出工程の検出結果に基づいて、前記所定時間を選択する工程と、を備えることを特微とする記録媒体送り制御方法として、課題を解決している。
【０００７】
【実施例】
そこで以下に本発明の詳細を図示した実施例に基づいて説明する。
図１は、本発明の一実施例を示すものであって、図中符号１は、紙送り機構を兼ねるプラテンで、これの軸方向に平行に移動可能にキャリッジ４が配置されていて、これにインクジェット式記録ヘッドやワイヤインパクト式記録ヘッド等の記録ヘッド５が搭載されている。
【０００８】
３は、記録媒体の厚みに対応して記録ヘッド５とプラテン１との間隙長を調整するプラテンギャップ調整レバーで、レバー位置検出器１６により、セットされたプラテンギャップの大きさを検出できるようになっている。
【０００９】
プラテン１の前部下部には連続用紙を給紙する第１のトラクタ６、及び単票用紙を手差しにより装填できる第１の給紙口７が配置され、またプラテン１の背面側には、連続用紙を給紙する第２のトラクタ８が、その上部には第１ビン、第２ビンとなる単票用紙自動給紙装置９、１０が、さらに上部には第２の手差し用給紙口１１が設けられている。
【００１０】
第１のトラクタ６、及び第１の給紙口４からの記録媒体が進入する第１の記録媒体搬送経路１２には、ここに進入した記録媒体を検知する第１の媒体検出器１３が、また第２のトラクタ８、第１、第２の単票用紙自動給紙装置９、１０、及び第２の手差し用給紙口１１からの記録媒体が進入する第２の記録媒体搬送経路１４には第２の媒体検出器１５が配置されている。
【００１１】
図３は、本発明の一実施例を示すものであって、図中符号２０は、第１、第２媒体検出器１３、１５からの信号に基づいて記録媒体を印刷領域にローデングさせる紙送り制御手段で、プラテンギャップ調整レバー３の位置を検出するレバー位置検出器１６からの信号により後述する遅延時間記憶手段２１のデータに基づいて紙送りモータ２７の作動開始までの時間Ｔを調整するように構成されている。
【００１２】
２１は、前述の遅延時間記憶手段で、第１、第２媒体検出器１３、１５から媒体検出信号が出力された時点から、記録媒体を印刷領域に移動させる迄の時間Ｔとして、普通紙等の比較的セットしやすいものに対しては時間Ｔ１を、また封筒や厚紙等の厚手のためにセットし難い記録媒体に対しては、時間Ｔ１よりも時間ΔＴだけ長めの時間Ｔ２を設定パネル３０や、またデップスイッチ３２等により設定できるように構成されている。
【００１３】
なお、図中符号３３は、レバー位置検出器１６からの信号の媒体送り制御手段２０への入力を遮断するスイッチを示す。
【００１４】
つぎに、このように構成された記録装置の動作の内、手差しにより装填された記録媒体への印刷動作を図４に示すフローチャートに基づいて説明する。
【００１５】
コピー用紙等の普通紙に印刷を行うべく、プラテンギャップ調整レバー３を普通紙側、つまりプラテンギャップを狭い方に切り替えて（ステップ  イ）、第１、第２の給紙口７、１１の何れかに普通紙を装填すると、第１、または第２の媒体検出器１３、１５が記録用紙の先端を検出して信号を出力する（ステップ  ロ）。
【００１６】
媒体送り制御手段２０は、レバー位置検出器１６からの信号により、装填された記録媒体が普通紙であると判定し、媒体検出器１３、１５から信号が出力してから時間Ｔ1が経過した時点で（ステップ  ハ）紙送りモータ２７を作動させて、普通紙を印刷領域に搬送し、以後、通常の印刷動作を行わせる（ステップ  ニ）。
【００１７】
一方、封筒などの厚手の記録媒体に印刷する場合には、プラテンギャップ調整レバー３を厚紙側、つまりプラテンギャップを大きい方に切り替えて（ステップイ）、第１、第２の給紙口７、１１の何れかに封筒を装填すると、第１、または第２の媒体検出器１３、１５が封筒の先端を検出して信号を出力する（ステップ  ホ）。
【００１８】
媒体送り制御手段２０は、レバー位置検出器１６からの信号により厚手の記録媒体が装填されたことを検知して遅延時間Ｔ2を選択し、媒体検出器１３、１５から信号が出力してから時間Ｔ2が経過した時点、つまり普通紙の場合よりも時間ΔＴ分遅れた時点で（ステップ  ヘ）紙送りモータを作動させて、封筒を印刷領域に搬送し、以後、通常の印刷動作を行わせる（ステップ  ニ）。
【００１９】
このように、普通紙に比較して位置や姿勢の調整が困難な厚手の記録媒体に対しては、装填された時点から紙送りモータ２７によりオートローデングするまでの時間がΔＴだけ自動的に延長されるため、操作に不慣れなユーザであっても取り扱い難い記録媒体を正確にセットすることが可能となる。
【００２０】
なお、上述の実施例においては、プラテンギャップ調整レバー３の切換えにより、遅延時間Ｔを自動的に変更できるようにしているが、厚手の記録媒体を普通紙と同様に取り扱うことができるユーザにあっては、スイッチ３３によりレバー位置検出器１６からの信号の媒体送り制御手段２０への入力を阻止することにより、記録媒体の種類の如何に関わりなく、常に一定の遅延時間で記録媒体をローデングさせることができる。
【００２１】
そして、この場合には、パネル３０や、デップスイッチ３２により遅延時間Ｔを普通紙、及び厚手の記録媒体を共に正しくセットできる妥当な時間Ｔ3に再設定しておくのが望ましい。
【００２２】
なお、上述の実施例においてはシリアルプリンタに例を採って説明したが、厚紙印刷モードの選択レバーを備えたページプリンタの手差し印刷に適用しても同様の作用を奏することは明らかである。
【図面の簡単な説明】
【図１】本発明の一実施例を示す斜視図である。
【図２】本発明の一実施例を示す側面図である。
【図３】本発明の一実施例を示すブロック図である。
【図４】同上装置の動作を示すフローチャートである。
【符号の説明】
１  プラテン
３  プラテンギャップ調整レバー
４  キャリッジ
５  記録ヘッド
６  第１のトラクタ
７  第１の手差し給紙口
８  第２のトラクタ
９  第１ビンの単票用紙自動給紙装置
１０  第２ビンの単票用紙自動給紙装置
１１  第２の手差し給紙口
１２  第１の記録媒体搬送経路
１４  第２の記録媒体搬送経路
１３  第１の媒体検出器
１５  第２の媒体検出器
１６  プラテンギャップ調整レバー位置検出器
【図１】
0003646745.tif 000002
【図２】
0003646745.tif 000003
【図３】
0003646745.tif 000004
【図４】
0003646745.tif 000005